(57)【要約】【課題】プッシュプルトラッキング誤差信号変調度の異なる光ディスクに対して、光ディスクの種類の判別を容易に行うことができる光ディスク装置および光ディスク判別処理を提供する。【解決手段】本光ディスク装置は、光検出器より出力される受光信号に基づいてプッシュプルトラッキング誤差信号を生成する手段を備え、フォーカスサーボ引込み処理を行った後、対物レンズを光ディスクの半径方向に所定距離移動する。このとき、対物レンズを移動する前と移動した後では、プッシュプルトラッキング誤差信号変調度の異なる光ディスクにおいて変調度の小さい光ディスクのほうが、プッシュプルトラッキング誤差信号の振幅バランスの変動量が大きくなることを利用して、光ディスクの種類を判別する。【選択図】  図３
2004272989.tif 000002
【特許請求の範囲】
【請求項１】
光ディスクに対して情報の記録または再生を行う光ディスク装置において、前記光ディスクを回転させるディスクモータと、レーザ光を照射するレーザ発光制御回路と、前記レーザ光を前記光ディスク面上に集光させる対物レンズと、該対物レンズにより集光したレーザ光の前記光ディスクからの反射光に基づいて受光信号を生成する光検出器と、前記対物レンズを前記光ディスクの半径方向に駆動するトラッキングアクチュエータおよび垂直方向に駆動するフォーカスアクチュエータと、前記光検出器より出力される受光信号に基づいてプッシュプル方式により前記対物レンズのトラック追従位置と所定トラックとの誤差であるプッシュプルトラッキング誤差信号を生成するトラッキング誤差信号検出手段と、前記プッシュプルトラッキング誤差信号の該トラッキング誤差信号検出手段の出力に基づいて、前記対物レンズが前記ディスク上のトラックを追従するためのトラッキングサーボ信号を生成するトラッキング駆動信号生成手段と、前記トラッキングアクチュエータを駆動するトラッキングアクチュエータドライバと、前記光検出器より出力される受光信号に基づいて前記対物レンズの合焦点と所定位置との誤差であるフォーカス誤差信号を生成するフォーカス誤差信号検出手段と、該フォーカス誤差信号検出手段の出力に基づいて、前記対物レンズが前記ディスク面に焦点を合わせるためのフォーカスサーボ信号を生成するフォーカス駆動信号生成手段と、前記フォーカスアクチュエータを駆動するフォーカスアクチュエータドライバと、マイコンとを備え、前記プッシュプルトラッキング誤差信号の最大レベル（Ｙａ）と最小レベル（Ｙｂ）の差を信号振幅で規定した式（［（Ｙａ）−（Ｙｂ）］／［（Ｙａ）＋（Ｙｂ）］）より得られる値を振幅バランスと定義すると、フォーカスサーボ引き込み処理を行った後、前記対物レンズを前記光ディスクの半径方向に所定距離移動させ、前記対物レンズを移動する前と移動した後で、前記トラッキング誤差信号検出手段の出力信号である前記プッシュプルトラッキング誤差信号の振幅バランスの変動量に対して設定された基準値に基づいて、前記マイコンにて、前記光ディスクの種類を判別するプッシュプル変調度判別処理を実施することを特徴とする光ディスク装置。
【請求項２】
請求項１記載の光ディスク装置において、前記プッシュプル変調度判別処理により得られたディスク種類情報を記憶するメモリを備えたことを特徴とする光ディスク装置。
【請求項３】
請求項２記載の光ディスク装置において、前記メモリ内のディスク種類情報に基づいて、前記マイコンにて前記レーザ発光制御回路に係わるパラメータまたは前記トラッキングサーボおよび前記フォーカスサーボに係わるパラメータを設定することを特徴とする光ディスク装置。
【請求項４】
請求項１記載の光ディスク装置において、前記フォーカス誤差信号検出手段の出力信号であるフォーカス誤差信号の振幅に基づいて、前記マイコンにて前記光ディスクの種類を判別する第一のディスク判別処理と、フォーカスサーボ引き込み処理を行った後、前記プッシュプル変調度判別処理に基づいて、光ディスクの種類を判別する第二のディスク判別処理とを備えた光ディスク装置。
【請求項５】
請求項４記載の光ディスク装置において、前記第一のディスク判別処理により得られたディスク種類情報を記憶する第一のメモリと、前記第二のディスク判別処理により得られたディスク種類情報を記憶する第二のメモリとを備えた光ディスク装置。
【請求項６】
請求項５記載の光ディスク装置において、前記第一のメモリ内のディスク種類情報と前記第二のメモリ内のディスク種類情報が異なる場合に、前記マイコンにて前記第二のメモリ内のディスク種類情報に基づいた前記レーザ発光制御回路に係わるパラメータまたは前記トラッキングサーボおよび前記フォーカスサーボに係わるパラメータを設定することを特徴とする光ディスク装置。
【請求項７】
請求項４乃至６何れか記載の光ディスク装置において、前記光検出器より出力される受光信号に基づいて、所定のディスク情報を検出するディスク情報検出手段を備え、トラッキングサーボ引き込み処理を行った後、前記ディスク情報検出手段の出力に基づいて、前記マイコンにて前記光ディスクの種類を判別する第三のディスク判別処理とを備えた光ディスク装置。
【請求項８】
請求項７記載の光ディスク装置において、前記第三のディスク判別処理により得られたディスク種類情報を記憶する第三のメモリとを備えた光ディスク装置。
【請求項９】
請求項８記載の光ディスク装置において、前記第二のメモリ内のディスク種類情報と前記第三のメモリ内のディスク種類情報が異なる場合に、前記第三のメモリ内のディスク種類情報に基づいて、前記マイコンにて前記レーザ発光制御回路に係わるパラメータまたは前記トラッキングサーボおよび前記フォーカスサーボに係わるパラメータを設定することを特徴とする光ディスク装置。
【請求項１０】
請求項２、５、８の何れか記載の光ディスク装置において、ディスク種類情報を記憶する前記メモリを前記マイコン内部に備えた光ディスク装置。
【請求項１１】
請求項２、５、８の何れか記載の光ディスク装置において、前記光ディスクが排出されるまでの間は、前記メモリで記憶されたディスク種類情報を管理し、前記ディスク判別処理を行わないことを特徴とする光ディスク装置。
【発明の詳細な説明】
【０００１】
【発明の属する技術分野】
本発明は、プッシュプルトラッキング誤差信号変調度の異なる光ディスクに対して情報の記録または再生を行う光ディスク装置および光ディスクの種類の判別処理に関する。
【０００２】
【従来の技術】
光ディスクにはＣＤおよびＤＶＤなどの種類が存在し、例えばＣＤにおいては、ＣＤ−ＲＯＭ、ＣＤ−Ｒ、ＣＤ−ＲＷが挙げられる。これらのディスクでは、反射率、変調度、トラック形状などのディスク特性が異なっており、複数種類の光ディスクに対して情報の記録または再生を行う光ディスク装置においては、各々のディスクに対応したレーザ発光制御回路に係わるパラメータおよびサーボ回路に係わるパラメータを設定する必要がある。そのため、ユーザが記録または再生を行おうとする光ディスクの種類を正確に判別しなければならない。
【０００３】
これまで光ディスクの種類としてＣＤとＤＶＤとを判別する方法として、フォーカス誤差信号を検出する手段を備え、得られたフォーカス誤差信号のレベルと、あらかじめ設定された基準レベルとを比較して光ディスクの種類を判別する方法が報告されている（特許文献１参照）。
【０００４】
【特許文献１】
特開平９−１０６６１７号公報（第１３頁、図１）
【０００５】
【発明が解決しようとする課題】
上記従来の技術における手段に対して、例えばＣＤの判別を考えた場合に、一般的にＣＤ−ＲＯＭおよびＣＤ−Ｒの反射率がＣＤ−ＲＷと比較して大きいことから、フォーカス誤差信号のレベルに基づいた種類の判別を行うことができる。
【０００６】
しかしながら、近年の光ディスクの普及に伴って、ディスク特性にバラツキが見られるようになり、例えばＣＤ−ＲＷの反射率に近いＣＤ−ＲＯＭなどが存在し、このＣＤ−ＲＯＭにおいてフォーカス誤差信号のレベルに基づいた種類の判別を行うとＣＤ−ＲＷであると誤判別してしまうという問題が生じていた。そこで、フォーカス誤差信号のレベルに基づいた判別処理とは異なる、プッシュプルトラッキング誤差信号の振幅バランスの変動量に基づいた判別処理を採用する。
【０００７】
本発明の目的は、プッシュプルトラッキング誤差信号変調度の異なる光ディスクに対して情報の記録または再生を行う光ディスク装置において、プッシュプルトラッキング誤差信号変調度の小さい光ディスクのほうが、対物レンズを光ディスクの半径方向に所定距離移動させた前後におけるプッシュプルトラッキング誤差信号の振幅バランスの変動量が大きくなることを利用して、光ディスクの種類の判別を容易に行う方法を提供することである。
【０００８】
【課題を解決するための手段】
本発明における光ディスク装置は、プッシュプルトラッキング誤差信号変調度の異なる光ディスクに対して情報の記録または再生を行い、対物レンズを光ディスクの半径方向に所定距離移動させた前後におけるプッシュプルトラッキング誤差信号の振幅バランスの変動量に対して設定された基準値に基づいて、光ディスクの種類の判別することを特徴とする。
【０００９】
このため、本光ディスク装置は、光ディスクを回転させるディスクモータと、レーザ光を照射するレーザ発光制御回路と、レーザ光を光ディスク面上に集光させる対物レンズと、対物レンズにより集光したレーザ光の光ディスクからの反射光に基づいて受光信号を生成する光検出器と、対物レンズを光ディスクの半径方向に駆動するトラッキングアクチュエータおよび垂直方向に駆動するフォーカスアクチュエータと、光検出器より出力される受光信号に基づいてプッシュプル方式により対物レンズのトラック追従位置と所定トラックとの誤差であるトラッキング誤差信号（以下、プッシュプルトラッキング誤差信号と記す。）を生成するトラッキング誤差信号検出手段と、トラッキング誤差信号検出手段の出力に基づいて、対物レンズがディスク上のトラックを追従するためのトラッキングサーボ信号を生成するトラッキング駆動信号生成手段と、トラッキングアクチュエータを駆動するトラッキングアクチュエータドライバと、光検出器より出力される受光信号に基づいて対物レンズの合焦点と所定位置との誤差であるフォーカス誤差信号を生成するフォーカス誤差信号検出手段と、フォーカス誤差信号検出手段の出力に基づいて、対物レンズがディスク面に焦点を合わせるためのフォーカスサーボ信号を生成するフォーカス駆動信号生成手段と、フォーカスアクチュエータを駆動するフォーカスアクチュエータドライバと、マイコンとを備える。
【００１０】
ここで、プッシュプルトラッキング誤差信号の最大レベル（Ｙａ）と最小レベル（Ｙｂ）の差を信号振幅で規定した式（［（Ｙａ）−（Ｙｂ）］／［（Ｙａ）＋（Ｙｂ）］）より得られる値を振幅バランスと定義する。
【００１１】
このとき、本光ディスク装置の特徴は、フォーカスサーボ引き込み処理を行った後、対物レンズを光ディスクの半径方向に所定距離移動させ、対物レンズを移動する前と移動した後で、プッシュプルトラッキング誤差信号の振幅バランスの変動量に対して設定された基準値に基づいて、マイコンにて光ディスクの種類を判別するプッシュプル変調度判別処理を実施することである。
また、プッシュプル変調度判別処理により得られたディスク種類情報を記憶するメモリを備え、マイコンにてメモリ内のディスク種類情報に基づいたレーザ発光制御回路に係わるパラメータまたはサーボ回路に係わるパラメータを設定することを特徴とする。
【００１２】
上記の光ディスク判別処理に加えて、本光ディスク装置は、フォーカス誤差信号検出手段の出力信号であるフォーカス誤差信号の振幅に基づいて、マイコンにて光ディスクの種類を判別する処理を実施し、このときのディスク種類情報を記憶するメモリを備える。また、所定のディスク情報を検出するディスク情報検出手段を備え、トラッキングサーボ引き込み処理を行った後、ディスク情報検出手段の出力に基づいて、マイコンにて光ディスクの種類を判別する処理を実施し、このときのディスク種類情報を記憶するメモリを備える。
【００１３】
フォーカス誤差信号の振幅に基づく判別処理により得られたディスク種類情報を記憶するメモリを第一メモリとし、プッシュプル変調度判別処理により得られたディスク種類情報を記憶するメモリを第二メモリとし、ディスク情報検出手段の出力に基づく判別処理により得られたディスク種類情報を記憶するメモリを第三メモリとする。
【００１４】
このとき、本光ディスク装置は、第一メモリ内のディスク種類情報と第二メモリ内のディスク種類情報が異なる場合に、マイコンにて第二のメモリ内のディスク種類情報に基づいたレーザ発光制御回路に係わるパラメータまたはサーボ回路に係わるパラメータを設定する。また、第二メモリ内のディスク種類情報と第三メモリ内のディスク種類情報が異なる場合に、第三メモリ内のディスク種類情報に基づいて、マイコンにてレーザ発光制御回路に係わるパラメータまたはサーボ回路に係わるパラメータを設定することを特徴とする。
【００１５】
ここで、ディスク種類情報を記憶する第一メモリ、第二メモリ、第三メモリは、マイコン内部に備えることも可能である。
【００１６】
また、本光ディスク装置は、光ディスクが排出されるまでの間は、メモリで記憶されたディスク種類情報を管理し、ディスク判別処理を行わないことを特徴とする。
【００１７】
以上の手段により本光ディスク装置は、対物レンズを光ディスクの半径方向に所定距離移動させた前後におけるプッシュプルトラッキング誤差信号の振幅バランスの変動量に対して設定された基準値に基づいて、光ディスクの種類の判別を容易に行うことが可能となる。また、本プッシュプル変調度判別処理とフォーカス誤差信号の振幅に基づく判別処理とディスク情報検出手段の出力に基づく判別処理とを組み合せることで、より正確な光ディスクの種類の判別を実現することができる。
【００１８】
【発明の実施の形態】
以下、実施例としてＣＤにおける判別処理について記述するが、本発明の判別はプッシュプルトラッキング誤差信号変調度に基づいて行うものであり、この変調度が異なる光ディスク（例えば、ＤＶＤ）においても適用が可能である。
【００１９】
図１は、本発明における一構成である。以下、図１に従って具体的に各ブロックおよび動作について説明する。
【００２０】
本光ディスク装置は、光ディスク１に対して情報を記録または再生するものである。ディスクモータ２は、光ディスク１を所定の速度で回転させる。レーザ発光制御回路３は、光ディスク１に対してレーザ光を照射する。対物レンズ４は、照射されたレーザ光を集光させる。光検出器５は、光ディスク１からの反射光に基づいて受光信号を生成する。トラッキングアクチュエータ６は、対物レンズ４をディスク１の半径方向に駆動する。フォーカスアクチュエータ７は、対物レンズ４を光ディスク１の垂直方向に駆動する。
【００２１】
トラッキング誤差信号検出回路（ＴＥ信号検出回路）８は、光検出器５における受光信号に基づいてプッシュプル方式により対物レンズ４のトラック追従位置と所定位置との誤差であるトラッキング誤差信号を生成する。トラッキング駆動信号生成回路（ＴＲＤ信号生成回路）９は、トラッキング誤差信号検出回路８の出力に基づいて、対物レンズ４がディスク１上のトラックを追従するためのトラッキングサーボ信号を生成する。トラッキングアクチュエータドライバ（ＴＲ＿ＡＣＴドライバ）１０は、トラッキング駆動信号生成回路９より送られた信号に基づいて、トラッキングアクチュエータ６を駆動する。
【００２２】
また、フォーカス誤差信号検出回路（ＦＥ信号検出回路）１１は、光検出器５における受光信号に基づいて対物レンズ４の合焦点と所定位置との誤差であるフォーカス誤差信号を生成する。フォーカス駆動信号生成回路（ＦＯＤ信号生成回路）１２は、フォーカス誤差信号検出回路１１の出力に基づいて、対物レンズ４が光ディスク１との合焦点距離を維持するためのフォーカスサーボ信号を生成する。フォーカスアクチュエータドライバ（ＦＯ＿ＡＣＴドライバ）１３は、フォーカス駆動信号生成回路１２より送られた信号に基づいて、フォーカスアクチュエータ７を駆動する。
【００２３】
さらに、マイコン１４を備え、フォーカスサーボ引き込み処理を行った後、マイコン１４において、対物レンズ４を光ディスク１の半径方向に所定距離（Ａ）移動させ、対物レンズ４を移動する前と移動した後のトラッキング誤差信号検出回路８の出力信号であるプッシュプルトラッキング誤差信号の振幅バランスの変動量に対して設定された基準値に基づいて、光ディスク１の種類を判別するプッシュプル変調度判別処理を実施する。
【００２４】
図２における（ａ）図は、光検出器における受光信号に基づいてプッシュプル方式によるトラッキング誤差信号を生成する回路を示す。また、（ｂ）図は、ＣＤ−ＲＯＭ、ＣＤ−Ｒ、ＣＤ−ＲＷの光学的溝深さとプッシュプルトラッキング誤差信号振幅（変調度）の関係を示し、光学的溝深さがλ／８に近いほど信号振幅が大きくなる。また、ＣＤ−ＲとＣＤ−ＲＷとでは、ほぼ同特性となる。
【００２５】
図３は、ＣＤ−ＲＯＭ、ＣＤ−Ｒ、ＣＤ−ＲＷにおける対物レンズを移動する前と所定距離Ａ移動した後のプッシュプルトラッキング誤差信号を示す。
【００２６】
ここで、プッシュプルトラッキング誤差信号の最大レベル（Ｙａ）と最小レベル（Ｙｂ）の差を信号振幅で規定した次式（ＰＢ）、
ＰＢ＝［（Ｙａ）−（Ｙｂ）］／［（Ｙａ）＋（Ｙｂ）］
より得られる値を振幅バランスと定義すると、振幅バランス変動量（ＴＢ）は、
2004272989.tif 000003
と表される。
【００２７】
このとき、図２の（ｂ）図において、ＣＤ−ＲおよびＣＤ−ＲＷと比較してＣＤ−ＲＯＭでは、プッシュプルトラッキング誤差信号振幅（変調度）が小さく、対物レンズを光ディスクの半径方向に所定距離Ａ移動させた前後におけるプッシュプルトラッキング誤差信号の振幅バランス変動量が大きくなる（ＴＢ（ＣＤ−ＲＯＭ）  ＞  ＴＢ（ＣＤ−Ｒ、ＣＤ−ＲＷ））。これを利用して、振幅バランス変動量に対して設定された基準値に基づいて、ＣＤ−ＲＯＭとＣＤ−Ｒ、もしくはＣＤ−ＲＯＭとＣＤ−ＲＷについての判別を行うことが可能となる。
【００２８】
図４は、本発明における一構成である。以下、図４に従って具体的に各ブロックおよび動作について説明する。
【００２９】
図４において、マイコン１４とディスク情報検出回路１５と第一メモリ１６と第二メモリ１７と第三メモリ１８とを除いた各ブロックの動作は、上記図１の説明と同様である。
【００３０】
本光ディスク装置は、マイコン１４において、フォーカス誤差信号検出回路１１の出力信号であるフォーカス誤差信号の振幅に基づいて、光ディスクの種類を判別する処理を実施する。また、ディスク情報検出回路１５は、光検出器５より出力される受光信号に基づいて所定のディスク情報を検出し、トラッキングサーボ引き込み処理を行った後、マイコン１４において、ディスク情報検出回路１５の出力に基づいて、光ディスクの種類を判別する処理を実施する。
【００３１】
第一メモリ１６は、フォーカス誤差信号の振幅に基づく判別処理により得られたディスク種類情報を記憶する。第二メモリ１７は、プッシュプル変調度判別処理により得られたディスク種類情報を記憶する。第三メモリ１８は、ディスク情報検出回路１５の出力に基づく判別処理により得られたディスク種類情報を記憶する。ここで、ディスク種類情報を記憶する各メモリ（１６〜１８）は、マイコン内部に備えることも可能である。
【００３２】
さらに、マイコン１４は、各メモリ（１６〜１８）内のディスク種類情報に基づいて、レーザ発光制御回路３に係わるパラメータまたはトラッキングサーボおよびフォーカスサーボに係わるパラメータを設定する。
【００３３】
図５は、本ディスク種類判別処理であるプッシュプル変調度判別処理のフローチャートである。
【００３４】
以下、図５の各ステップの処理について説明する。
【００３５】
ステップＳ１において、光ディスク装置には、ＣＤ−ＲＯＭもしくはＣＤ−ＲもしくはＣＤ−ＲＷが装着されている。ステップＳ２では、フォーカスサーボ引き込み処理を行い、ステップＳ３では、対物レンズを半径方向に所定距離移動させる。ステップＳ４において、対物レンズ移動前後でのプッシュプルトラッキング誤差信号（プッシュプルＴＥ信号）の振幅バランスの変動量が、設定された基準値内である場合は、ステップＳ５でＣＤ−ＲもしくはＣＤ−ＲＷと判別し、設定された基準値内でない場合は、ステップＳ６でＣＤ−ＲＯＭと判別する。ステップＳ７では、ステップＳ５あるいはステップＳ６で判別されたディスクに応じた装置のパラメータを設定する。
【００３６】
図６は、本ディスク種類判別処理であるプッシュプル変調度判別処理とフォーカス誤差信号の振幅に基づく判別処理とディスク情報検出回路の出力に基づく判別処理の三つの判別処理を組み合せた場合のフローチャートである。
【００３７】
以下、図６の各ステップの処理について説明する。
【００３８】
ステップＳ１０１において、レーザ光を点灯する。ステップＳ１０２において、フォーカス誤差信号（ＦＥ信号）の振幅が、設定された基準値内である場合は、ステップＳ１０３でＣＤ−ＲＷと判別し、設定された基準値内でない場合は、ステップＳ１０４でＣＤ−ＲもしくはＣＤ−ＲＯＭと判別する。ステップＳ１０５では、フォーカスサーボ引き込み処理を行い、ステップＳ１０６では、対物レンズを半径方向に所定距離移動させる。ステップＳ１０７において、対物レンズ移動前後でのプッシュプルトラッキング誤差信号（プッシュプルＴＥ信号）の振幅バランスの変動量が、設定された基準値内である場合は、ステップＳ１０８でＣＤ−Ｒと判別し、設定された基準値内でない場合は、ステップＳ１０９でＣＤ−ＲＯＭと判別する。ステップＳ１１０では、ステップＳ１０３あるいはステップＳ１０８あるいはステップＳ１０９で判別されたディスクに応じた装置のパラメータを設定する。さらに、ステップＳ１１１では、トラッキング引き込み処理を行い、ステップＳ１１２において、ディスク情報に基づいた判別処理を行い、ステップＳ１１３でＣＤ−ＲもしくはＣＤ−ＲＷと判別し、ステップ１１４でＣＤ−ＲＯＭと判別する。
【００３９】
【発明の効果】
以上のように本発明により、プッシュプルトラッキング誤差信号変調度の異なる光ディスクに対して情報の記録または再生を行う光ディスク装置において、対物レンズを光ディスクの半径方向に所定距離移動させた前後におけるプッシュプルトラッキング誤差信号の振幅バランスの変動量に対して設定された基準値に基づいて、光ディスクの種類の判別を容易に行うことが可能となる。
【図面の簡単な説明】
【図１】本発明のブロック図である。
【図２】プッシュプルトラッキング誤差信号生成回路と光学的溝深さとプッシュプルトラッキング誤差信号振幅（変調度）の関係図である。
【図３】ＣＤ−ＲＯＭ、ＣＤ−Ｒ、ＣＤ−ＲＷにおける対物レンズ移動前後のプッシュプルトラッキング誤差信号の図である。
【図４】本発明のブロック図である。
【図５】本ディスク種類判別処理のフローチャート図である。
【図６】本ディスク種類判別処理のフローチャート図である。
【符号の説明】
１…光ディスク、２…ディスクモータ、３…レーザ発光制御回路、４…対物レンズ、５…光検出器、６…トラッキングアクチュエータ、７…フォーカスアクチュエータ、８…トラッキング誤差信号検出回路、９…トラッキング駆動信号生成回路、１０…トラッキングアクチュエータドライバ、１１…フォーカス誤差信号検出回路、１２…フォーカス駆動信号生成回路、１３…フォーカスアクチュエータドライバ、１４…マイコン、１５…ディスク情報検出回路、１６…第一メモリ、１７…第二メモリ、１８…第三メモリ。
【図１】
2004272989.tif 000004
【図２】
2004272989.tif 000005
【図３】
2004272989.tif 000006
【図４】
2004272989.tif 000007
【図５】
2004272989.tif 000008
【図６】
2004272989.tif 000009